(57)【特許請求の範囲】
【請求項１】
ファスナーチェン１の後端を閉鎖する閉鎖体３を、一方のファスナーストリンガー４の後部に配設した固定用挿入棒７および固定用挿入棒７を装着した側のファスナー咬合子６を挿通可能に形成し、閉鎖体３には表面が開口するファスナーストリンガーガイド用のガイド溝１３または２４を配設し、閉鎖体３と固定用挿入棒７との間に閉鎖体３の脱落阻止用の規制機構を装備し、該規制機構は、ガイド溝１３または２４内の壁面に凹欠部１８または凹窪部２７を設け、固定用挿入棒７の外面に凸条部２０または凸部２８を突設し、閉鎖体３がファスナー咬合子６上を滑動し、凹欠部１８と凸条部２０または凹窪部２７と凸部２８とを係止可能に形成したことを特徴とする開離型隠しスライドファスナー。
【請求項２】
閉鎖体３として、横断面がＴ形のファスナーストリンガーガイド用のガイド溝１３を配設した箱体１２を用いてなる請求項１記載の開離型隠しスライドファスナー。
【請求項３】
閉鎖体３として、表面にＹ状のファスナーチェン１をガイドできるガイド溝２４を配設した逆開きスライダー２３を用いてなる請求項１記載の開離型隠しスライドファスナー。
【発明の詳細な説明】
【０００１】
【発明の属する技術分野】
この発明は、隠しスライドファスナーであって、スライダーの開閉操作によって、閉鎖状態のファスナーチェンを左右のファスナーストリンガーに分離開放できる開離嵌挿具付き、または逆開きスライダー付きの開離型隠しスライドファスナーに関するものである。
【０００２】
【従来の技術】
従来の開離嵌挿具付きの隠しスライドファスナーは、左右に分離される一方のファスナーストリンガーの端部に箱体および箱棒が最初から固定されている形態の隠しスライドファスナーが一般的に知られている。
【０００３】
また図１３に示すように、一方のファスナーストリンガーの端部に箱棒を装着し、この箱棒には突起状の係合部が備えられている。箱体は箱棒および蝶棒挿入孔が配設され、箱棒挿入孔には箱棒の係合部と係止する掛合部が備えられ、箱棒を箱体に挿入して開離嵌挿具を組立てる開離嵌挿具付き隠しスライドファスナーが特開平７−２１２号公報に開示されている。
【０００４】
【発明が解決しようとする課題】
前項で挙げた箱体が最初から装備された形態のファスナーストリンガーを縫製する場合は、縫製するとき箱体が邪魔でファスナー咬合子に近接した位置を縫着できないので、美しく仕上がらないこと、また箱体は不安定で嵌挿操作が円滑に行えないなどの問題点がある。
【０００５】
図１３に示すように箱体をファスナーストリンガーを縫着した後、箱棒の後端から箱体を装着する隠しスライドファスナーは、ファスナーストリンガーに装着した箱棒に箱体を嵌入させるが、その際係合部または仕切片を強制的に塑性変形させ、また金属製であれば加締加工を行って係止させねばならないが、部品が小さくガイド部分がないため嵌入操作がきわめて面倒であること、さらに弾性変形で係止させれば、また弾性変形を越し箱体が脱落するという恐れがあるなど、箱体を強固に固定できないなどの問題点がある。
【０００６】
この発明は、上述の問題点を考慮して発明されたものであり、請求項１記載の発明は、左右のファスナーストリンガーが分離開放できる開離型隠しスライドファスナーにおいて、ファスナーストリンガーを縫着した後に、終端すなわち後端を閉鎖する閉鎖体を固定用挿入棒を配設した側のファスナーストリンガーの前端から挿入させてファスナー咬合子上を滑動させ、終端において固定用挿入棒と閉鎖体とを係止固定した頑丈な開離型隠しスライドファスナーを提供することが主たる目的である。
【０００７】
請求項２記載の発明は、請求項１記載の発明の目的に加え、閉鎖体として固定用挿入棒を配設した側のファスナーストリンガーを滑動することができる箱体から形成した開離型隠しスライドファスナーを提供することが目的である。
【０００８】
請求項３記載の発明は、請求項１記載の発明の目的に加え、閉鎖体として、固定用挿入棒を配設した側のファスナーストリンガー上を滑動することができる逆開きスライダーから形成した開離型隠しスライドファスナーを提供することが目的である。
【０００９】
【課題を解決するための手段】
前記の目的を達成するため、この発明のうち請求項１記載の発明は、左右のファスナーストリンガー４、８に分離開放できる隠しスライドファスナーチェン１の後端を閉鎖することができる閉鎖体３を、一方のファスナーストリンガー４における後部に配設した固定用挿入棒７および固定用挿入棒７を配設した側のファスナー咬合子６を挿通できるように形成し、閉鎖体３の表面には開口しファスナーストリンガー４，８をガイドできるガイド溝１３または２４を配設し、挿通された閉鎖体３とファスナーストリンガー４に固定された固定用挿入棒７との間に閉鎖体３をファスナーストリンガー４から脱落するのを阻止するための規制機構を装備し、この規制機構は、閉鎖体３としての箱体１２、または逆開きスライダー２３に設けたガイド溝１３または２４内の壁面に凹欠部１８または凹窪部２７を設け、固定用挿入棒７の外面に凸条部２０または凸部２８を突設し、閉鎖体３がファスナー咬合子６上を滑動し、凹欠部１８と凸条部２０または凹窪部２７と凸部２８とを係止可能に形成した開離型隠しスライドファスナーを主な構成とするものである。
【００１０】
請求項２記載の発明は、請求項１記載の発明の構成に加え、開離型隠しスライドファスナーチェン１の後端に配し、後端を閉鎖する閉鎖体３は、表面上下に開口し貫通する横断面形状がＴ形でファスナーストリンガー４をガイドできるガイド溝１３を配設した箱体１２から形成した開離型隠しスライドファスナーである。
【００１１】
請求項３記載の発明は、請求項１記載の発明の構成に加え、開離型隠しスライドファスナーチェン１の後端に配し、後端を閉鎖する閉鎖体３は、表面にＹ状でファスナーチェン１をガイドできるガイド溝２４を配設した逆開きスライダー２３から形成した開離型隠しスライドファスナーである。
【００１２】
【発明の実施の形態】
以下、この発明における開離型隠しスライドファスナーの実施の形態について、図面を参照しながら具体的に説明する。
【００１３】
最初に開離型隠しスライドファスナーの実施の形態について説明する。図１から図７に示す開離型隠しスライドファスナーは、大別すると隠しタイプのファスナーチェン１、スライダー２、閉鎖体３から構成され、スライダー２、閉鎖体３は熱可塑性樹脂または金属から成形されている。
【００１４】
ファスナーチェン１の一方のファスナーストリンガー４は、ファスナーテープ５の一側縁に隠しタイプのファスナー咬合子６が連続状に装着され、その端部に固定用挿入棒７が固設されている。他方のファスナーストリンガー８も同様にファスナーテープ９の一側縁に隠しタイプのファスナー咬合子１０が装着され、その端部に差込用挿入棒１１が固設されている。ファスナー咬合子６、１０は熱可塑性樹脂製のモノフイラメントあるいは単体から形成され、また金属製であってもよい。固定用挿入棒７、差込用挿入棒１１は、ともに熱可塑性樹脂の成形体から成形されるのが好都合である。
【００１５】
そしてこの実施態様においては閉鎖体３として箱体１２が使用され、箱体１２は図５、６に示すように表面中央が上下に開口し、かつ上下に貫通する断面Ｔ形のファスナーストリンガー４をガイドするガイド溝１３が設けられている。このガイド溝１３の一方側は底壁１９が開口してファスナー咬合子６および固定用挿入棒７が挿通できる開口部１４が形成され、さらに側壁１５、上壁１６、下壁１７にわたって下半部の深部に凹陥状の凹欠部１８が設けられている。ガイド溝１３の他方側の底面は閉鎖された底壁１９が形成され、ファスナーストリンガー８に設けられた差込用挿入棒１１を収容できる形態に形成されている。
【００１６】
ファスナーストリンガー４に固設された固定用挿入棒７は角棒状で、その先端側の外面下半部に表面へ突出する１条の凸条部２０が形成され、前記箱体１２に凹設された凹欠部１８に嵌合係止できるように形成され、一旦嵌合すると箱体１２は固定用挿入棒７から脱却できない。なお凹欠部１８および凸条部２０の大きさ厚みは僅かな変形量でよい。
【００１７】
図７に示す実施態様は、箱体１２の側壁１５に横方向へ貫通する透孔２１を凹欠部１８に穿設し、また固定用挿入棒７の凸条部２０における外表面に横方向へ突出する小突起２２が設けられ、透孔２１と小突起２２とはスナップ係合ができるように形成されている。
【００１８】
箱体１２は図１に示すように、ファスナーストリンガー４におけるファスナー咬合子６の前端から嵌挿し、後端側へファスナー咬合子６上を滑動させて固定用挿入棒７と係合させるとともに、ファスナー咬合子６上へスライダー２を挿通することによって開離嵌挿具付きの開離型隠しスライドファスナーが完成し、スライダー２を箱体１２に当接させ、他方のファスナーストリンガー８の差込用挿入棒１１をスライダー２および箱体１２に挿入後、スライダー２を摺動させることによって、ファスナーチェン１を閉鎖または開口させる。開口と同時にファスナーストリンガー８の差込用挿入棒１１を、箱体１２およびスライダー２から抜脱すれば、左右のファスナーストリンガー４、８は完全に分離開放される。
【００１９】
次に、図８から図１２に示す開離型隠しスライドファスナーは、前例の開離型隠しスライドファスナーの形態と異なるところは、閉鎖体３として箱体１２に代え逆開きスライダー２３を使用していることである。
【００２０】
逆開きスライダー２３は、表面がＹ状に開口するファスナーチェン１をガイドするためのガイド溝２４が設けられ、このガイド溝２４における一方側のファスナー咬合子６をガイドするフランジ２５の上内壁および対向する底部２６において、その先端下半部に凹陥状の凹窪部２７が対設されている。
【００２１】
一方ファスナーストリンガー４の先端に固設された固定用挿入棒７の外面下半部に上下面にのみ突出する凸部２８が形成され、この凸部２８は逆開きスライダー２３の凹窪部２７と衝合できるように形成され、逆開きスライダー２３は固定用挿入棒７の先端からは脱却させることができないが、内側のファスナー咬合子６上へは摺動させることができる。
【００２２】
逆開きスライダー２３は図８に示すように、ファスナーストリンガー４におけるファスナー咬合子６の前端から嵌挿し、後端側へファスナー咬合子６上を滑動させて固定用挿入棒７と衝合させるとともに、ファスナー咬合子６上へスライダー２を挿通することによって逆開きスライダー付きの開離型隠しスライドファスナーが完成し、スライダー２を逆開きスライダー２３に当接させ、他方のファスナーストリンガー８の差込用挿入棒１１をスライダー２および逆開きスライダー２３に挿入後、スライダー２を摺動させることによって、ファスナーチェン１を閉鎖または開口させる。開口と同時にファスナーストリンガー８の差込用挿入棒１１を、逆開きスライダー２３およびスライダー２から抜脱すれば、左右のファスナーストリンガー４、８は完全に分離開放される。
【００２３】
【発明の効果】
この発明の開離型隠しスライドファスナーの構成は、上記のとおりであり、この構成によって下記の効果を奏する。
【００２４】
この発明のうち請求項１記載の発明は、隠しタイプのファスナーチェンの後端を閉鎖する閉鎖体を、一方のファスナーストリンガーの後部に配設した固定用挿入棒および固定用挿入棒を装着した側のファスナー咬合子を挿通可能に形成し、閉鎖体には表面が開口するファスナーストリンガーガイド用のガイド溝１３または２４を配設し、閉鎖体と固定用挿入棒との間に閉鎖体の脱落阻止用の規制機構を装備し、該規制機構は、ガイド溝１３または２４内の壁面に凹欠部１８または凹窪部２７を設け、固定用挿入棒の外面に凸条部２０または凸部２８を突設し、閉鎖体がファスナー咬合子上を滑動し、凹欠部と凸条部または凹窪部と凸部とを係止可能に形成したことによって、下記の効果を奏する。
【００２５】
ファスナーチェンの後端を閉鎖する閉鎖体をファスナーストリンガーの前端から挿通させることができ、固定用挿入棒との連結において凹欠部と凸条部または凹窪部と凸部とを単に係止させ、各部材を塑性変形または弾性変形させることなく、きわめて簡単かつ容易に固定し、簡単に開離型隠しスライドファスナーを作製することができる効果がある。
【００２６】
請求項２記載の発明は、請求項１記載の発明の効果に加え、閉鎖体として、横断面がＴ形のファスナーストリンガーガイド用のガイド溝を配設した箱体を用いたことによって、閉鎖体として簡単に箱体を用いることができ、そのうえ箱体と固定用挿入棒とを簡易かつ強固に固定でき、簡単に箱体を用いた開離型隠しスライドファスナーを作製することができる効果がある。
【００２７】
請求項３記載の発明は、請求項１記載の発明の効果に加え、閉鎖体として、表面にＹ状のファスナーチェンをガイドできるガイド溝を配設した逆開きスライダーを用いたことによって、閉鎖体として簡単に逆開きスライダーを用いることができ、そのうえ逆開きスライダーと固定用挿入棒とを簡易かつ強固に係止でき、簡単に逆開きスライダーを用いた開離型隠しスライドファスナーを作製することができる効果があるなど、この発明が奏する効果はきわめて顕著である。
【図面の簡単な説明】
【図１】開離嵌挿具付きの開離型隠しスライドファスナーの使用態様を示す斜視図である。
【図２】同上スライドファスナーの要部の側面図である。
【図３】同上スライドファスナーの要部の切断平面図である。
【図４】図３におけるＡ−Ａ線断面図である。
【図５】同上スライドファスナーにおけるスライダーと箱体の分解斜視図である。
【図６】同上スライドファスナーにおける箱体の正面図である。
【図７】同上スライドファスナーにおける箱体の変形例を示す断面図である。
【図８】逆開きスライダー付きの開離型隠しスライドファスナーの使用態様を示す斜視図である。
【図９】同上スライドファスナーの要部の側面図である。
【図１０】同上スライドファスナーの要部の切断平面図である。
【図１１】図１０におけるＢ−Ｂ線断面図である。
【図１２】図１０におけるＣ−Ｃ線断面図である。
【図１３】公知の箱棒、箱体の嵌挿状態を示す工程図である。
【符号の説明】
１          ファスナーチェン
２          スライダー
３          閉鎖体
４、８      ファスナーストリンガー
６、１０    ファスナー咬合子
７          固定用挿入棒
１１          差込用挿入棒
１２          箱体
１３          ガイド溝（箱体）
１４          開口部
１５          側壁
１６          上壁
１７          下壁
１８          凹欠部
１９          底壁
２０          凸条部
２１          透孔
２２          小突起
２３          逆開きスライダー
２４          ガイド溝（逆開きスライダー）
２５          フランジ
２６          底部
２７          凹窪部
２８          凸部
２９          被着物
【図１】
0003580395.tif 000002
【図２】
0003580395.tif 000003
【図３】
0003580395.tif 000004
【図４】
0003580395.tif 000005
【図５】
0003580395.tif 000006
【図６】
0003580395.tif 000007
【図７】
0003580395.tif 000008
【図８】
0003580395.tif 000009
【図９】
0003580395.tif 000010
【図１０】
0003580395.tif 000011
【図１１】
0003580395.tif 000012
【図１２】
0003580395.tif 000013
【図１３】
0003580395.tif 000014